(57)【要約】【課題】カメラで撮影中に外部モニタで撮影補助情報が重畳された画像を表示するとともに、外部記録装置に撮影補助情報が重畳されていない画像を出力することができる技術を提供する。【解決手段】撮像手段により得られた画像信号から撮影を補助する画像の信号である補助画像信号を生成する生成手段と、撮像手段により得られた画像信号を出力する第１出力手段と、補助画像信号を出力する第２出力手段と、を備える撮像装置と、撮像装置から撮像により得られた画像信号の入力を受け付ける第１入力手段と、撮像装置から補助画像信号の入力を受け付ける第２入力手段と、第１入力手段により入力される画像信号に、第２入力手段により入力される補助画像信号を重畳させた表示画像信号を生成する生成手段と、表示画像信号に基づく画像を表示する表示手段と、を備える表示装置と、からなる撮影システム。【選択図】図１
2016019229.tif 000002
【特許請求の範囲】
【請求項１】
撮像手段と、
前記撮像手段により得られた画像信号から撮影を補助する画像の信号である補助画像信号を生成する生成手段と、
前記撮像手段により得られた画像信号を出力する第１出力手段と、
前記補助画像信号を出力する第２出力手段と、
を備える撮像装置。
【請求項２】
前記撮影を補助する画像は、ピーキング、ゼブラ、及びマーカーの少なくともいずれかを含む請求項１に記載の撮像装置。
【請求項３】
前記補助画像信号は、画像有効領域のうち前記撮影を補助する画像の他は所定の画素値である画像信号である請求項１又は２に記載の撮像装置。
【請求項４】
前記第２出力手段の出力可能な画像信号のフォーマットは、前記第１出力手段の出力可能な画像信号のフォーマットよりも、ビット数、サンプリング周波数、フレームレート、ピクセル数、及びライン数の少なくともいずれかが小さく、
前記撮像手段により得られた画像信号のフォーマットを前記第２出力手段の出力可能な画像信号のフォーマットに変換する変換手段を備え、
前記生成手段は、前記変換手段により変換された画像信号から前記補助画像信号を生成する請求項１〜３のいずれか１項に記載の撮像装置。
【請求項５】
前記変換手段は、前記撮像手段により得られた画像信号に対し、ビット数の削減、アルファチャンネルの削除、サンプリング周波数の低減、フレームレートの低減、ピクセル数の低減、及びライン数の低減の少なくともいずれかを行う請求項４に記載の撮像装置。
【請求項６】
前記変換手段により行われた変換処理の情報を前記第１出力手段により出力される画像信号に付加する付加手段を備える請求項４又は５に記載の撮像装置。
【請求項７】
前記第１出力手段は３Ｇ−ＳＤＩフォーマットの画像信号を出力可能であり、
前記第２出力手段はＨＤ−ＳＤＩフォーマットの画像信号を出力可能である請求項１〜６のいずれか１項に記載の撮像装置。
【請求項８】
撮像装置から撮像により得られた画像信号の入力を受け付ける第１入力手段と、
前記撮像装置から撮影を補助する画像の信号である補助画像信号の入力を受け付ける第２入力手段と、
前記第１入力手段により入力される前記画像信号に、前記第２入力手段により入力される前記補助画像信号を重畳させた表示画像信号を生成する生成手段と、
前記表示画像信号に基づく画像を表示する表示手段と、
を備える表示装置。
【請求項９】
前記撮影を補助する画像は、ピーキング、ゼブラ、及びマーカーの少なくともいずれかを含む請求項８に記載の表示装置。
【請求項１０】
前記補助画像信号は、画像有効領域のうち前記撮影を補助する画像の他は所定の画素値である画像信号である請求項８又は９に記載の表示装置。
【請求項１１】
前記第２入力手段の入力可能な画像信号のフォーマットは、前記第１入力手段の入力可能な画像信号のフォーマットよりも、ビット数、サンプリング周波数、フレームレート、
ピクセル数、及びライン数の少なくともいずれかが小さく、
前記第２入力手段により入力される画像信号のフォーマットを前記第１入力手段により入力される画像信号のフォーマットに変換する変換手段を備え、
前記生成手段は、前記第１入力手段により入力される前記画像信号に、前記第２入力手段により入力されさらに前記変換手段により変換された前記補助画像信号を重畳させて前記表示画像信号を生成する請求項８〜１０のいずれか１項に記載の表示装置。
【請求項１２】
前記変換手段は、前記第２入力手段により入力される前記補助画像信号に対し、フレームレートの増加、ピクセル数の増加、及びライン数の増加の少なくともいずれかを行う請求項１１に記載の表示装置。
【請求項１３】
前記第２入力手段により入力される前記補助画像信号は、前記撮像装置において撮像により得られた画像信号に対し、ビット数の削減、アルファチャンネルの削除、サンプリング周波数の低減、フレームレートの低減、ピクセル数の低減、及びライン数の低減の少なくともいずれかの変換処理を行った画像信号から生成された補助画像信号であり、
前記第１入力手段により入力される前記画像信号には、前記撮像装置において行われた変換処理の情報が付加されており、
前記変換手段は、前記第１入力手段により入力される画像信号に付加された前記変換処理の情報に基づき前記補助画像信号に対する変換処理を行う請求項１１又は１２に記載の表示装置。
【請求項１４】
前記第１入力手段は３Ｇ−ＳＤＩフォーマットの画像信号を入力可能であり、
前記第２入力手段はＨＤ−ＳＤＩフォーマットの画像信号を入力可能である請求項８〜１３のいずれか１項に記載の表示装置。
【請求項１５】
前記第１入力手段により入力される前記画像信号を外部に出力する出力手段をさらに備える請求項８〜１４のいずれか１項に記載の表示装置。
【請求項１６】
請求項１〜７のいずれか１項に記載の撮像装置と、
請求項８〜１５のいずれか１項に記載の表示装置と、
からなる撮影システム。
【請求項１７】
撮像手段と、画像信号を出力する第１出力手段及び第２出力手段と、を備える撮像装置の制御方法であって、
前記撮像手段により撮像する工程と、
前記撮像手段により得られた画像信号から撮影を補助する画像の信号である補助画像信号を生成する生成工程と、
前記撮像手段により得られた画像信号を前記第１出力手段から出力する工程と、
前記補助画像信号を前記第２出力手段から出力する工程と、
を有する撮像装置の制御方法。
【請求項１８】
表示手段と、画像信号を入力する第１入力手段及び第２入力手段と、を備える表示装置の制御方法であって、
撮像装置から撮像により得られた画像信号の入力を前記第１入力手段により受け付ける工程と、
前記撮像装置から撮影を補助する画像の信号である補助画像信号の入力を前記第２入力手段により受け付ける工程と、
前記第１入力手段により入力される前記画像信号に、前記第２入力手段により入力される前記補助画像信号を重畳させた表示画像信号を生成する生成工程と、
前記表示手段に前記表示画像信号に基づく画像を表示させる工程と、
を有する表示装置の制御方法。
【発明の詳細な説明】
【技術分野】
【０００１】
本発明は、撮像装置、表示装置、及び撮影システムに関するものである。
【背景技術】
【０００２】
近年、映像製作分野で高解像度（４Ｋ以上）の大判センサによる撮影が行われるようになった。高解像度の画像撮影において、従来のＥＶＦ（Electronic View Finder）やカメラ付属のモニタでは撮影画像のフォーカスを確認しづらい。さらに、高解像度の画像ではピントのズレが目立つためフォーカスを正確に合わせる必要がある。
よって、確認用として高解像度なモニタをカメラに接続し表示させながら撮影を行うユースケースがある。しかし、カメラ側に高解像度な画像信号を伝送できる端子が1つしか
ない場合、外部記録装置と確認用モニタを同時に使用できない。
そこで、カメラからの画像信号を確認用モニタに接続して確認用モニタのスルー出力を外部記録装置に接続、又は同一の出力端子から画像信号を分配して接続しているユースケースがある。
【先行技術文献】
【特許文献】
【０００３】
【特許文献１】特開２０１０−２８２００号公報
【発明の概要】
【発明が解決しようとする課題】
【０００４】
しかしながら、前記の接続方法ではカメラ側でピーキング、ゼブラ、マーカーなどの撮影補助情報を画像信号に重畳すると、外部記録装置に記録される画像にも撮影補助情報が重畳されてしまう。そのため、撮影中に確認用モニタで撮影補助情報が重畳された画像を見ることができないという課題がある。特許文献１では、カメラと確認用モニタの間にピーキングを検出する装置を備えて画像信号に重畳する構成が提案されているが、構成が複雑化する等のデメリットがある。
【０００５】
そこで本発明は、カメラで撮影中に外部モニタで撮影補助情報が重畳された画像を表示するとともに、外部記録装置に撮影補助情報が重畳されていない画像を出力することができる技術を提供することを目的とする。
【課題を解決するための手段】
【０００６】
本発明は、撮像手段と、
前記撮像手段により得られた画像信号から撮影を補助する画像の信号である補助画像信号を生成する生成手段と、
前記撮像手段により得られた画像信号を出力する第１出力手段と、
前記補助画像信号を出力する第２出力手段と、
を備える撮像装置である。
【０００７】
本発明は、撮像装置から撮像により得られた画像信号の入力を受け付ける第１入力手段と、
前記撮像装置から撮影を補助する画像の信号である補助画像信号の入力を受け付ける第２入力手段と、
前記第１入力手段により入力される前記画像信号に、前記第２入力手段により入力される前記補助画像信号を重畳させた表示画像信号を生成する生成手段と、
前記表示画像信号に基づく画像を表示する表示手段と、
を備える表示装置である。
【０００８】
本発明は、撮像手段と、画像信号を出力する第１出力手段及び第２出力手段と、を備える撮像装置の制御方法であって、
前記撮像手段により撮像する工程と、
前記撮像手段により得られた画像信号から撮影を補助する画像の信号である補助画像信号を生成する生成工程と、
前記撮像手段により得られた画像信号を前記第１出力手段から出力する工程と、
前記補助画像信号を前記第２出力手段から出力する工程と、
を有する撮像装置の制御方法である。
【０００９】
本発明は、表示手段と、画像信号を入力する第１入力手段及び第２入力手段と、を備える表示装置の制御方法であって、
撮像装置から撮像により得られた画像信号の入力を前記第１入力手段により受け付ける工程と、
前記撮像装置から撮影を補助する画像の信号である補助画像信号の入力を前記第２入力手段により受け付ける工程と、
前記第１入力手段により入力される前記画像信号に、前記第２入力手段により入力される前記補助画像信号を重畳させた表示画像信号を生成する生成工程と、
前記表示手段に前記表示画像信号に基づく画像を表示させる工程と、
を有する表示装置の制御方法である。
【発明の効果】
【００１０】
本発明によれば、カメラで撮影中に外部モニタで撮影補助情報が重畳された画像を表示するとともに、外部記録装置に撮影補助情報が重畳されていない画像を出力することができる。
【図面の簡単な説明】
【００１１】
【図１】実施例１の全体ブロック図
【図２】実施例１の撮影補助情報生成部ブロック図
【図３】実施例１の撮影補助情報合成部のフローチャート
【図４】実施例１の画像重畳部のフローチャート
【図５】実施例２の全体ブロック図
【図６】実施例２のダウンコンバート部のフローチャート
【図７】実施例２のdown_convert信号の割り当て表
【図８】実施例２のアップコンバート部のフローチャート
【図９】実施例２の遅延調節部のフローチャート
【図１０】実施例２の画像重畳部のフローチャート
【図１１（ａ）】実施例２の画像重畳部のdown_convert信号と画像信号変更表
【図１１（ｂ）】実施例２の画像重畳部のdown_convert信号と画像信号変更表
【図１１（ｃ）】実施例２の画像重畳部のdown_convert信号と画像信号変更表
【発明を実施するための形態】
【００１２】
（実施例１）
以下に、本発明の実施例１について図面を用いて説明する。
まず、撮影システムの全体構成について説明する。
図１は、実施例１にかかる撮影システムの全体ブロック図である。
図１に記載したこの撮影システムは、撮影装置１００と表示装置２００を備えている。
【００１３】
撮影装置１００は、被写体を撮影し画像信号を生成し表示装置２００へ出力する。撮影
装置１００は、例えばビデオカメラである。実施例１では、撮影装置１００は、３Ｇ−ＳＤＩとＨＤ−ＳＤＩの出力端子を１系統ずつ備えたビデオカメラとして説明する。
【００１４】
表示装置２００は、撮影装置１００から画像信号を受け取り、表示画面へ表示する。表示装置２００は、例えば高精細なモニタである。実施例１では、表示装置２００は、３Ｇ−ＳＤＩとＨＤ−ＳＤＩの入力端子を１系統ずつ備え、２Ｋ表示が可能なモニタとして説明する。
【００１５】
次に、図１に記載されている撮影装置１００の構成と処理について説明する。撮影装置１００は、撮像部１０１と、ダウンコンバート部１０２と、撮影補助情報生成部１０３と、ＨＤ−ＳＤＩドライバ部１０４と、３Ｇ−ＳＤＩドライバ部１０５を備えている。
【００１６】
撮影装置１００は、撮像部１０１により得られた画像信号を出力する第１出力手段と、撮影補助情報生成部１０３により得られた補助画像信号を出力する第２出力手段とを備える。第２出力手段の出力可能な画像信号のフォーマットは、第１出力手段の出力可能な画像信号のフォーマットよりも、ビット数、サンプリング周波数、フレームレート、ピクセル数、及びライン数の少なくともいずれかが小さい。実施例１では、第１出力手段は３Ｇ−ＳＤＩフォーマットの画像信号を出力可能な３Ｇ−ＳＤＩドライバ部１０５であり、第２出力手段はＨＤ−ＳＤＩフォーマットの画像信号を出力可能なＨＤ−ＳＤＩドライバ部１０４である。
【００１７】
ＨＤ−ＳＤＩドライバ部１０４は、撮影補助情報生成部１０３から出力されたＨＤ−ＳＤＩフォーマットの補助画像信号をシリアライズして表示装置２００内のＨＤ−ＳＤＩレシーバ部２０１へ出力する。
３Ｇ−ＳＤＩドライバ部１０５は、撮像部１０１から出力された３Ｇ−ＳＤＩフォーマットの画像信号をシリアライズして表示装置２００内の３Ｇ−ＳＤＩレシーバ部２０２へ出力する。
【００１８】
撮像部１０１は、図示しない被写体を撮影して、画像信号への変換までを行う。撮像部１０１が出力する画像信号は、例えばＳＭＰＴＥで決められた３Ｇ−ＳＤＩのフォーマットである。撮像部１０１は、画像信号をダウンコンバート部１０２と３Ｇ−ＳＤＩドライバ部１０５へ出力する。実施例１では、一例として有効ピクセル数が１９２０ピクセル、有効ライン数が１０８０ライン、フレームレートが６０フレーム／秒、サンプリング周波数が１４８．５ＭＨｚ、信号コンポーネントがＹＣｂＣｒ４２２  １０ｂｉｔの場合について説明する。撮像部１０１の内部は、撮像を行うためのＣＭＯＳセンサ部と、ＣＭＯＳセンサの値をデジタル値に変換するＡ／Ｄ変換部と、変換されたデジタル値を画像信号に変換する信号処理部によって構成されている。なお、これは一般的なビデオカメラの構成なので詳細な説明は省略する。
【００１９】
ダウンコンバート部１０２は、撮像部１０１により得られた画像信号のフォーマットを第２出力手段（ＨＤ−ＳＤＩドライバ部１０４）の出力可能な画像信号のフォーマットに変換する。ダウンコンバート部１０２は、撮像部１０１により得られた画像信号に対し、ビット数の削減、アルファチャンネルの削除、サンプリング周波数の低減、フレームレートの低減、ピクセル数の低減、及びライン数の低減の少なくともいずれかを行う。実施例１では、ダウンコンバート部１０２は、撮像部１０１から３Ｇ−ＳＤＩフォーマットの画像信号を受け取る。ダウンコンバート部１０２は、画像信号をＳＭＰＴＥで決められたＨＤ−ＳＤＩフォーマットに変換して、撮影補助情報生成部１０３に出力する。実施例１では、フレームの単純間引きを行うことによってフレームレートを６０フレーム／秒から３０フレーム／秒に変換し、さらにサンプリング周波数を１４８．５ＭＨｚから７４．２５ＭＨｚに変換することで画像信号をＨＤ−ＳＤＩフォーマットに合わせる。
【００２０】
撮影補助情報生成部１０３は、ダウンコンバート部１０２により変換された画像信号から補助画像信号を生成する。実施例１では、撮影補助情報生成部１０３は、ダウンコンバート部１０２からＨＤ−ＳＤＩフォーマットの画像信号を受け取る。撮影補助情報生成部１０３は、ピーキング、ゼブラ、マーカーの成分だけを含み、画像有効領域のうちのその他の領域は所定の画素値（例えば白色の中間階調）にした補助画像信号を生成し、ＨＤ−ＳＤＩドライバ部１０４へ送る。撮影補助情報生成部１０３は、撮像部１０１により得られた画像信号から撮影を補助する画像の信号である補助画像信号を生成する機能部であるが、実施例１では、特に、撮影補助情報生成部１０３は、
【００２１】
ここで、実施例１におけるピーキング、ゼブラ、マーカーについて説明する。
実施例１におけるピーキングとは、画像内のピントが合っている部分のエッジに色を付けることで強調表示することである。
実施例１におけるゼブラとは、輝度の飽和を警告するためにある一定以上の輝度値の領域に色を付けることで強調表示することである。
実施例１におけるマーカーとは、例えば構図の確認のために画面の中心を通る縦線と横線を表示することである。なお、実施例１では、マーカーの表示を黒色、ピーキングの表示を白色，ゼブラの表示を紫色となるように画像信号を変更しているが、３つの重畳情報が判断できるならこの表示でなくても良い。撮影補助情報はピーキング、ゼブラ、マーカーに限らない。その他の撮影補助情報には、例えば、ベクトルスコープ、カラーバー、タイムコードなどがある。
【００２２】
ここで、図２を用いて撮影補助情報生成部１０３の構成と処理について説明する。図２は、撮影補助情報生成部のブロック図である。撮影補助情報生成部１０３は、高域通過フィルタ１１０と、輝度判定部１１１と、マーカー生成部１１２と、撮影補助情報合成部１１３によって構成されている。
【００２３】
高域通過フィルタ１１０は、画像のピントが合ったときに生じる高域周波数をハイパスフィルタで抽出して撮影補助情報合成部１１３へ出力する。高域通過フィルタ１１０は、例えばＦＩＲフィルタである。高域通過フィルタ１１０は、ＨＤ−ＳＤＩフォーマットの画像信号中のＥＡＶ(End of Active Video)、ＳＡＶ(Start of Active Video)を検知する。そして各ラインの有効画像範囲の輝度の信号のみＦＩＲフィルタでフィルタリングする。高域通過フィルタ１１０は、ＦＩＲフィルタの出力が閾値を超えたときにＨＩＧＨになり、超えないときにはＬＯＷとなるピーキング信号を撮影補助情報合成部１１３へ送る。
【００２４】
輝度判定部１１１は、輝度信号が基準の値を超えた箇所のみを抽出して撮影補助情報合成部１１３へ出力する。輝度判定部１１１は、例えばコンパレータである。輝度判定部１１１は、ＨＤ−ＳＤＩフォーマットの画像信号中のＥＡＶ、ＳＡＶを検知する。そして各ラインの有効画像範囲の輝度の信号をコンパレータで閾値と比較して、閾値を超えたときにＨＩＧＨになり、超えないときにはＬＯＷとなるゼブラ信号を撮影補助情報合成部１１３へ送る。
【００２５】
マーカー生成部１１２は、ＨＤ−ＳＤＩフォーマットの画像信号を入力されて有効画像範囲の真ん中のラインとピクセルを検出して撮影補助情報合成部１１３へ出力する。マーカー生成部１１２は、例えばカウンタである。マーカー生成部１１２は、ＨＤ−ＳＤＩフォーマットの画像信号中のＥＡＶ、ＳＡＶを検知して現在の信号が何ライン目の何ピクセル目かを検知する。マーカー生成部１１２は、有効画像範囲の真ん中のラインとピクセルの時にＨＩＧＨになり、それ以外の時にはＬＯＷとなるマーカー信号を撮影補助情報合成部１１３へ送る。
【００２６】
撮影補助情報合成部１１３は、ＨＤ−ＳＤＩフォーマットの画像信号、高域通過フィルタ１１０からのピーキング信号、輝度判定部１１１からのゼブラ信号、マーカー生成部１１２からのマーカー信号、及び図示しない外部ＩＦからのコントロール信号を受け取る。外部ＩＦからのコントロール信号は、ピーキング、ゼブラ、マーカーそれぞれを重畳するかを決定するための信号である。実施例１では、全て重畳する場合について説明する。撮影補助情報合成部１１３は、ＨＤ−ＳＤＩフォーマットの画像信号と、ピーキング信号と、ゼブラ信号と、マーカー信号より図３の撮影補助情報合成部フローチャートに従って補助画像信号を出力する。
【００２７】
ここで図３の撮影補助情報合成部フローチャートについて説明する。撮影補助情報合成部１１３に入力された画像信号は、ピクセル毎に図３に示したフローに従って処理される。
【００２８】
Ｓ１００において、撮影補助情報合成部１１３は、入力された画像信号が有効画像範囲内かどうかを判断する。画像信号が有効画像範囲内であるかは、ＳＡＶとＥＡＶをそれぞれ検知すれば判定できる。画像信号が有効画像範囲内であればＳ１０１へ進み、有効画像範囲外であれば終了ステップまで進む。
Ｓ１０１において、撮影補助情報合成部１１３は、画像信号のＹの値を５０２、ＣｂＣｒの値を５１２に変更する。Ｓ１０２へ進む。
【００２９】
Ｓ１０２において、撮影補助情報合成部１１３は、入力されているピーキング信号がＨＩＧＨであるかを判断する。ピーキング信号がＨＩＧＨである場合にはＳ１０３へ進み、ＬＯＷである場合にはＳ１０４へ進む。
Ｓ１０３において、撮影補助情報合成部１１３は、画像信号のＹの値を９４０に変更する。Ｓ１０４へ進む。
【００３０】
Ｓ１０４において、撮影補助情報合成部１１３は、入力されているゼブラ信号がＨＩＧＨであるかを判断する。ゼブラ信号がＨＩＧＨである場合にはＳ１０５へ進み、ＬＯＷである場合にはＳ１０６へ進む。
Ｓ１０５において、撮影補助情報合成部１１３は、画像信号のＣｂＣｒの値を９６０に変更する。Ｓ１０６へ進む。
【００３１】
Ｓ１０６において、撮影補助情報合成部１１３は、入力されているマーカー信号がＨＩＧＨであるかを判断する。マーカー信号がＨＩＧＨである場合にはＳ１０７へ進み、ＬＯＷである場合には終了ステップへ進む。
Ｓ１０７において、撮影補助情報合成部１１３は、画像信号のＹの値を６４に、ＣｂＣｒの値を６４に変更する。その後、終了ステップへ進み補助画像信号を出力する。
実施例１では、マーカーの表示が最も優先されるような処理フローを説明したが、ピーキングやゼブラの表示が最も優先される処理フローでも良い。
【００３２】
図２の撮影補助情報生成部ブロック図の説明に戻る。撮影補助情報合成部１１３は、撮影補助情報を重畳した補助画像信号を図１に記載されているＨＤ−ＳＤＩドライバ部１０４へ出力する。
【００３３】
次に、図１に記載されている表示装置２００の構成と処理について説明する。表示装置２００は、ＨＤ−ＳＤＩレシーバ部２０１と、３Ｇ−ＳＤＩレシーバ部２０２と、アップコンバート部２０３と、遅延調節部２０４と、画像重畳部２０５と、表示部２０６を備えている。
【００３４】
表示装置２００は、撮像装置から撮像により得られた画像信号の入力を受け付ける第１
入力手段と、撮像装置から撮影を補助する画像の信号である補助画像信号の入力を受け付ける第２入力手段と、を備える。第２入力手段の入力可能な画像信号のフォーマットは、第１入力手段の入力可能な画像信号のフォーマットよりも、ビット数、サンプリング周波数、フレームレート、ピクセル数、及びライン数の少なくともいずれかが小さい。実施例１では、第１入力手段は３Ｇ−ＳＤＩレシーバ部２０２であり、第２入力手段はＨＤ−ＳＤＩレシーバ部２０１である。
【００３５】
ＨＤ−ＳＤＩレシーバ部２０１は、ＨＤ−ＳＤＩフォーマットの画像信号を入力可能である。実施例１では、ＨＤ−ＳＤＩレシーバ部２０１は、撮影装置１００内のＨＤ−ＳＤＩドライバ部１０４から出力された補助画像信号を受け取り、デシリアライズする。ＨＤ−ＳＤＩレシーバ部２０１は、デシリアライズしたＨＤ−ＳＤＩフォーマットの補助画像信号をアップコンバート部２０３へ出力する。
【００３６】
３Ｇ−ＳＤＩレシーバ部２０２は、３Ｇ−ＳＤＩフォーマットの画像信号を入力可能である。実施例１では、３Ｇ−ＳＤＩレシーバ部２０２は、撮影装置１００内の３Ｇ−ＳＤＩドライバ部１０５から出力された画像信号を受け取り、デシリアライズする。３Ｇ−ＳＤＩレシーバ部２０２は、デシリアライズした３Ｇ−ＳＤＩフォーマットの画像信号を遅延調節部２０４へ出力する。
【００３７】
アップコンバート部２０３は、ＨＤ−ＳＤＩレシーバ部２０１により入力される画像信号のフォーマットを３Ｇ−ＳＤＩレシーバ部２０２により入力される画像信号のフォーマットに変換する。アップコンバート部２０３は、ＨＤ−ＳＤＩレシーバ部２０１により入力される補助画像信号に対し、フレームレートの増加、ピクセル数の増加、及びライン数の増加の少なくともいずれかを行う。実施例１では、アップコンバート部２０３は、ＨＤ−ＳＤＩレシーバ部２０１からＨＤ−ＳＤＩフォーマットの補助画像信号を受け取る。アップコンバート部２０３は、補助画像信号をＳＭＰＴＥで決められた３Ｇ−ＳＤＩフォーマットに変換して、画像重畳部２０５へ出力する。実施例１では、画像信号をアップコンバート部２０３内のフレームメモリに書き込み、フレームメモリのデータを２回読み出すことでフレームレートを３０フレーム／秒から６０フレーム／秒に変換する。さらにサンプリング周波数を７４．２５ＭＨｚから１４８．５ＭＨｚに変換することで補助画像信号を３Ｇ−ＳＤＩフォーマットに合わせる。
【００３８】
遅延調節部２０４は、３Ｇ−ＳＤＩレシーバ部２０２から３Ｇ−ＳＤＩフォーマットの画像信号を受け取る。遅延調節部２０４は、アップコンバート部２０３で補助画像信号がＨＤ−ＳＤＩフォーマットから３Ｇ−ＳＤＩフォーマットに変換される際の遅延量と同じ量だけ画像信号を遅延させて画像重畳部２０５へ出力する。実施例１では、ＨＤ−ＳＤＩフォーマットの補助画像信号を１フレーム分メモリに書き込まなくてはならないので、３Ｇ−ＳＤＩフォーマットで２フレーム分遅延させる。
【００３９】
画像重畳部２０５は、３Ｇ−ＳＤＩレシーバ部２０２により入力される画像信号に、ＨＤ−ＳＤＩレシーバ部２０１により入力される補助画像信号を重畳させた表示画像信号を生成する。画像重畳部２０５は、３Ｇ−ＳＤＩレシーバ部２０２により入力される画像信号に、ＨＤ−ＳＤＩレシーバ部２０１により入力されさらにアップコンバート部２０３により変換された補助画像信号を重畳させて表示画像信号を生成する。実施例１では、画像重畳部２０５は、遅延調節部２０４から画像信号と、アップコンバート部２０３から補助画像信号を受け取る。画像重畳部２０５は、撮影補助情報を画像信号に重畳して出力する。図４は、画像重畳部２０５の処理フローチャートである。ここで、図４を用いて画像重畳部２０５の処理について説明する。画像重畳部２０５に入力された画像信号は、ピクセル毎に図４に示したフローに従って処理される。
【００４０】
Ｓ２００において、画像重畳部２０５は、入力された画像信号が有効画像範囲内かどうかを判断する。画像信号が有効画像範囲内であるかは、ＳＡＶとＥＡＶをそれぞれ検知すれば判定できる。画像信号が有効画像範囲内であればＳ２０１へ進み、有効画像範囲外であれば終了ステップまで進む。
【００４１】
Ｓ２０１において、画像重畳部２０５は、入力された画像信号の位置にマーカーが重畳されるかを判断する。具体的には、補助画像信号の値がＹ＝６４且つＣｂＣｒ＝６４であるかを判断する。補助画像信号の値がＹ＝６４且つＣｂＣｒ＝６４である場合はＳ２０２へ進み、それ以外の時はＳ２０３へ進む。
Ｓ２０２において、画像重畳部２０５は、黒表示にするため画像信号のＹの値を６４にＣｂＣrの値を５１２に変更する。終了ステップへ進む。
【００４２】
Ｓ２０３において、画像重畳部２０５は、入力された画像信号の位置にピーキングが重畳されるかを判断する。具体的には、補助画像信号の値がＹ＝９４０であるかを判断する。補助画像信号の値がＹ＝９４０である場合はＳ２０４へ進み、それ以外の時はＳ２０５へ進む。
Ｓ２０４において、画像重畳部２０５は、白表示にするため画像信号のＹの値を９４０にＣｂＣrの値を６４に変更する。終了ステップへ進む。
【００４３】
Ｓ２０５において、画像重畳部２０５は、入力された画像信号の位置にゼブラが重畳されるかを判断する。具体的には、補助画像信号の値がＣｂＣｒ＝９６０であるかを判断する。補助画像信号の値がＣｂＣｒ＝９６０である場合はＳ２０６へ進み、それ以外の時は終了ステップへ進む。
Ｓ２０６において、画像重畳部２０５は、紫表示にするため画像信号のＹの値を９４０にＣｂＣrの値を９６０に変更する。終了ステップへ進み画像信号を出力する。
【００４４】
上記処理フローを行うことで画像重畳部２０５から出力される画像信号にはピーキング、ゼブラ、マーカー情報が重畳される。
【００４５】
図１の全体ブロックの構成に戻る。画像重畳部２０５は、撮影補助情報が重畳された画像信号を表示部２０６へ出力する。
表示部２０６は、画像重畳部２０５から表示画像信号を受け取る。表示部２０６は、受け取った表示画像信号に基づく画像を表示する。表示部２０６は、受け取った画像信号を表示しやすい形に変換する信号処理部と画像を表示させる表示画面部によって構成されている。なお、これは一般的な表示装置の構成なので詳細な説明は省く。
出力部２０７は、３Ｇ−ＳＤＩレシーバ部２０２により入力される画像信号を外部（例えば記録装置）に出力する。なお、表示装置２００は出力部２０７を有しない構成でも良い。
【００４６】
上記説明した実施例１にかかる撮影装置、表示装置及びそれらの制御方法によれば、３Ｇ−ＳＤＩドライバ部１０５から出力される信号を出力部２０７から分配して外部記録装置に出力することができる。この方法によれば、構成を複雑化せず外部記録装置に記録される画像には撮影補助情報が重畳されることなく、撮影中に表示装置で撮影補助情報が重畳された画像を見ることができる。
【００４７】
（実施例２）
実施例１ではフレームレートを落とすことでダウンコンバートを実現したが、３Ｇ−ＳＤＩフォーマットは種類が多くフレームレートを変換しただけではダウンコンバートできないことがある。実施例２では多様なフォーマットに対応するための構成を説明する。
【００４８】
以下に、本発明の実施例２について図面を用いて説明する。図５は、実施例２にかかる撮影システムの全体ブロック図である。図５に記載した撮影システムは、撮影装置３００と表示装置４００を備えている。実施例１で説明した撮影装置１００と表示装置２００との相違点を中心に説明する。
撮影装置３００と撮影装置１００の構成の差分として、画像信号にアンシラリ情報を重畳するアンシラリ重畳部３０１を追加した。アンシラリ重畳部３０１は、変換手段（ダウンコンバート部３０２）により行われた変換処理の情報を第１出力手段（３Ｇ−ＳＤＩドライバ部１０５）により出力される画像信号に付加する。
【００４９】
表示装置４００と表示装置２００の構成の差分として、画像信号のアンシラリ情報を検出するアンシラリ検出部４０１を追加した。ＨＤ−ＳＤＩレシーバ部２０１により入力される補助画像信号は、撮影装置３００において撮像により得られた画像信号に対し、変換処理を行った画像信号から生成された補助画像信号である。変換処理は、ビット数の削減、アルファチャンネルの削除、サンプリング周波数の低減、フレームレートの低減、ピクセル数の低減、及びライン数の低減の少なくともいずれかを含む。３Ｇ−ＳＤＩレシーバ部２０２により入力される画像信号には、撮影装置３００において行われた変換処理の情報が付加されている。
【００５０】
次に、図５に記載されている撮影装置３００の構成と処理について実施例１との差分を中心に説明する。
撮像部１０１は、アンシラリ重畳部３０１と、ダウンコンバート部３０２に３Ｇ−ＳＤＩフォーマットの画像信号を送る。
ダウンコンバート部３０２は、撮像部１０１から３Ｇ−ＳＤＩフォーマットの画像信号を受け取る。ダウンコンバート部３０２は、３Ｇ−ＳＤＩフォーマットの画像信号をＨＤ−ＳＤＩフォーマットの画像信号にダウンコンバートして撮影補助情報生成部１０３に出力する。さらにダウンコンバート部３０２は、ダウンコンバート方法についてアンシラリ重畳部３０１に出力する。
ダウンコンバート部３０２は図６に示した処理フローに従ってダウンコンバートを行う。図６は、ダウンコンバート部３０２の処理フローチャート図である。
【００５１】
ここで、図６を用いてダウンコンバート部３０２の処理について説明する。この処理は、ダウンコンバート部３０２に画像信号が入力されたときに開始する。
Ｓ３００において、ダウンコンバート部３０２は、入力された画像信号のｂｉｔ幅が１２ｂｉｔであるかを判断する。１２ｂｉｔである場合にはＳ３０１へ進み、１２ｂｉｔでない場合にはＳ３０２へ進む。ｂｉｔ幅が１２ｂｉｔであるかの判断は、画像信号内のペイロードＩＤを検出することで判定できる。
Ｓ３０１において、ダウンコンバート部３０２は、入力された画像信号の下位２ｂｉｔを削除して画像信号を１０ｂｉｔに変換する。Ｓ３０２へ進む。
【００５２】
Ｓ３０２において、ダウンコンバート部３０２は、入力された画像信号がアルファチャンネルのデータを含んでいるか判断する。アルファチャンネルのデータを含んでいる場合にはＳ３０３へ進み、アルファチャンネルのデータを含まない場合にはＳ３０４に進む。画像信号がアルファチャンネルを含むかの判断は、画像信号内のペイロードＩＤを検出することで行う。
Ｓ３０３において、ダウンコンバート部３０２は、入力された画像信号のアルファチャンネルのデータを削除し、Ｓ３０４へ進む。
【００５３】
Ｓ３０４において、ダウンコンバート部３０２は、入力された画像信号のサンプリング構成がＲＧＢ４４４であるかを判断する。ＲＧＢ４４４場合にはＳ３０５へ進み、ＲＧＢ４４４でない場合にはＳ３０６へ進む。サンプリング構成がＲＧＢ４４４であるかの判断
は、画像信号内のペイロードＩＤを検出することで行う。
Ｓ３０５において、ダウンコンバート部３０２は、入力された画像信号のサンプリング構成ＲＧＢ４４４をＹＣＣ４４４に変換する。Ｓ３０７へ進む。なお、ＲＧＢ４４４からＹＣＣ４４４へ変化する際の変換式は以下である。
Y = 0.2126 × R + 0.7152 × G + 0.0722 × B 
Cb = -0.114572 × R - 0.385428 × G + 0.5 × B 
Cr = 0.5 × R - 0.454153 × G - 0.045847 × B
【００５４】
Ｓ３０６において、ダウンコンバート部３０２は、入力された画像信号のサンプリング構成がＹＣＣ４４４であるかを判断する。ＹＣＣ４４４場合にはＳ３０７へ進み、ＹＣＣ４４４でない場合にはＳ３０８へ進む。サンプリング構成がＹＣＣ４４４であるかの判断は、画像信号内のペイロードＩＤを検出することで行う。
Ｓ３０７において、ダウンコンバート部３０２は、入力された画像信号のサンプリング構成をＹＣＣ４４４からＹＣＣ４２２へ変換する。変換方法は、ＳＡＶを起点としてＣｂから開始してＣｂとＣｒを交互にサンプリングする方法を用いる。Ｓ３０８へ進む。
【００５５】
Ｓ３０８において、ダウンコンバート部３０２は、入力された画像信号のフレームレートが６０フレーム／秒又は５０フレーム／秒であるかを判断する。６０フレーム／秒又は５０フレーム／秒である場合にはＳ３０９へ進み、６０フレーム／秒又は５０フレーム／秒でない場合にはＳ３１０へ進む。画像信号のフレームレートが６０フレーム／秒又は５０フレーム／秒であるかの判断は、画像信号内のペイロードＩＤを検出することで行う。
Ｓ３０９において、ダウンコンバート部３０２は、入力された画像信号のフレームレートに単純間引きを行って半分にして、サンプリング周波数を１４８．５ＭＨｚから７４．２５ＭＨｚに変換する。Ｓ３１０へ進む。
【００５６】
Ｓ３１０において、ダウンコンバート部３０２は、入力された画像信号の有効画像範囲のライン数が１０８０ラインより多いかどうかを判断する。有効画像範囲のライン数が１０８０ラインより多い場合には、Ｓ３１１へ進み、有効画像範囲のライン数が１０８０ライン以下の場合には終了ステップへ進む。
Ｓ３１１において、ダウンコンバート部３０２は、入力された画像信号の有効画像範囲のライン数を１０８０ラインになるように間引く。ピクセル数もライン数と同じ割合で間引く。さらにサンプリング周波数を１４８．５ＭＨｚから７４．２５ＭＨｚに変換する。終了ステップへ進む。
【００５７】
上記処理によってダウンコンバート部３０２は、入力された画像信号をダウンコンバートする。さらに、ダウンコンバート部３０２は、図６中のステップＳ３０１、Ｓ３０５、Ｓ３０７、Ｓ３０９、Ｓ３１１の内どれを通過したかを図７に示す５ｂｉｔのdown_convert信号にしてアンシラリ重畳部３０１へ送る。図７は、画像信号のダウンコンバート方法を示したdown_convert信号の割り当てを示す。
【００５８】
図５の撮影システムの全体ブロック図の説明に戻る。
アンシラリ重畳部３０１は、撮像部１０１から３Ｇ−ＳＤＩフォーマットの画像信号と、ダウンコンバート部３０２からdown_convert信号を受け取る。アンシラリ重畳部３０１は、３Ｇ−ＳＤＩフォーマットの画像信号のアンシラリデータスペースにdown_convert信号をアンシラリデータとして重畳する。アンシラリ重畳部３０１は、３Ｇ−ＳＤＩドライバ部１０５へ画像信号を出力する。
他の撮影装置３００内のブロックの動作は、撮影装置１００内のブロックと同様である。
【００５９】
次に、図５に記載されている表示装置４００の構成と処理について実施例１との差分を
中心に説明する。
アンシラリ検出部４０１は、３Ｇ−ＳＤＩレシーバ部２０２より画像信号を受け取る。アンシラリ検出部４０１は、画像信号中のアンシラリ重畳部３０１にてアンシラリデータとして重畳されたdown_convert信号と画像信号の有効画像範囲のライン数を検出してアップコンバート部４０２へ出力する。アンシラリ検出部４０１は、down_convert信号と画像信号を遅延調節部４０３へ送る。
【００６０】
アップコンバート部４０２は、３Ｇ−ＳＤＩレシーバ部２０２により入力される画像信号に付加された変換処理の情報に基づき補助画像信号に対する変換処理を行う。実施例２では、アップコンバート部４０２は、ＨＤ−ＳＤＩレシーバ部２０１から補助画像信号と、アンシラリ検出部４０１からdown_convert信号と画像信号の有効画像範囲のライン数を受け取る。アップコンバート部４０２は、図８に示した処理フローに従って補助画像信号をアップコンバートする。図８は、アップコンバート部４０２の処理フローチャート図である。
【００６１】
ここで、図８を用いてアップコンバート部４０２の処理について説明する。この処理は、アップコンバート部４０２に画像信号が入力されたときに開始する。
Ｓ４００において、アップコンバート部４０２は、down_convert信号のｂｉｔ４が１であるかどうかを判断する。ｂｉｔ４が１であればＳ４０１に進み、ｂｉｔ４が１でなければＳ４０２へ進む。
【００６２】
Ｓ４０１において、アップコンバート部４０２は、補助画像信号に拡大処理を行う。アップコンバート部４０２は、補助画像信号をメモリに書き込み１ピクセルを（画像信号の有効画像範囲のライン数／１０８０ライン）回連続して読み出すことで補助画像信号を横方向に拡大させる。アップコンバート部４０２は、横方向に拡大した補助画像信号をラインメモリに書き込み１ラインを（画像信号の有効画像範囲のライン数／１０８０ライン）回連続して読み出すことで補助画像信号を縦方向に拡大させる。さらに、サンプリング周波数を７４．２５ＭＨｚから１４８．５ＭＨｚに変換する。Ｓ４０２へ進む。
【００６３】
Ｓ４０２において、アップコンバート部４０２は、down_convert信号のｂｉｔ３が１であるかどうかを判断する。ｂｉｔ３が１であればＳ４０３に進み、ｂｉｔ３が１でなければ終了ステップへ進む。
Ｓ４０３において、アップコンバート部４０２は、補助画像信号のフレームレートを変換する。アップコンバート部４０２は、補助画像信号をアップコンバート部４０２内のフレームメモリに書き込み２回読み出すことでフレームレートを２倍にする。終了ステップへ進む。
上記処理によってアップコンバート部４０２は、入力された補助画像信号をアップコンバートする。アップコンバート部４０２は、アップコンバートした補助画像信号を画像重畳部４０４へ送る。
【００６４】
図５の撮影システムの全体ブロック図の説明に戻る。
遅延調節部４０３は、アンシラリ検出部よりdown_convert信号と画像信号を受け取る。遅延調節部４０３は、図９に示した処理フローに従って画像信号を遅延させる。図９は、遅延調節部４０３の処理フローチャートである。
【００６５】
ここで、図９を用いて遅延調節部４０３の処理について説明する。
この処理は遅延調節部４０３に画像信号が入力されたときに開始する。
Ｓ５００において、遅延調節部４０３は、down_convert信号のｂｉｔ４が１であるかどうかを判断する。ｂｉｔ４が１であればＳ５０１に進み、ｂｉｔ４が１でなければＳ５０２へ進む。
Ｓ５０１において、遅延調節部４０３は、画像信号を内蔵のメモリに書き込み、読み出すことでアップコンバート部４０２の処理フローチャート図中のＳ４０１での遅延と同じ分だけ遅延させる。Ｓ５０２へ進む。
【００６６】
Ｓ５０２において、遅延調節部４０３は、down_convert信号のｂｉｔ３が１であるかどうかを判断する。ｂｉｔ３が１であればＳ５０３に進み、ｂｉｔ３が１でなければ終了ステップへ進む。
Ｓ５０３において、遅延調節部４０３は、画像信号を内蔵のフレームメモリに書き込み、読み出すことでアップコンバート部４０２の処理フローチャート図中のＳ４０３での遅延と同じ分だけ遅延させる。終了ステップへ進む。
【００６７】
上記処理によって、遅延調節部４０３は、画像信号を遅延させることで画像重畳部４０４に入力される補助画像信号と画像信号を同期させる。遅延調節部４０３は、遅延させた画像信号とdown_convert信号を画像重畳部４０４へ送る。
【００６８】
図５の撮影システムの全体ブロック図の説明に戻る。
画像重畳部４０４は、遅延調節部４０３から画像信号とdown_convert信号を、アップコンバート部４０２から補助画像信号を受け取る。画像重畳部４０４は、図１０に示すフローチャートに従って撮影補助情報を画像信号に重畳して出力する。
【００６９】
図１０は、画像重畳部４０４の処理フローチャートである。ここで、図１０を用いて画像重畳部４０４の処理について説明する。画像重畳部４０４に入力された画像信号は、ピクセル毎に図１０に示したフローに従って処理される。
Ｓ６００において、画像重畳部４０４は、入力された画像信号が有効画像範囲内かどうかを判断する。画像信号が有効画像範囲内であるかは、ＳＡＶとＥＡＶをそれぞれ検知すれば判定できる。画像信号が有効画像範囲内であればＳ６０１へ進み、有効画像範囲外であれば終了ステップまで進む。
【００７０】
Ｓ６０１において、画像重畳部４０４は、入力された画像信号の位置にマーカーが重畳されるかを判断する。具体的には、補助画像信号の値がＹ＝６４且つＣｂＣｒ＝６４であるかを判断する。補助画像信号の値がＹ＝６４且つＣｂＣｒ＝６４である場合はＳ６０２へ進み、それ以外の時はＳ６０３へ進む。
Ｓ６０２において、画像重畳部４０４は、図１１（ａ）中のＴａｂｌｅ１に従いdown_convert信号の下位３ｂｉｔによって画像信号の値を変更する。終了ステップへ進む。
【００７１】
Ｓ６０３において、画像重畳部４０４は、入力された画像信号の位置にピーキングが重畳されるかを判断する。具体的には、補助画像信号の値がＹ＝９４０であるかを判断する。補助画像信号の値がＹ＝９４０である場合はＳ６０４へ進み、それ以外の時はＳ６０５へ進む。
Ｓ６０４において、画像重畳部４０４は、図１１（ｂ）中のＴａｂｌｅ２に従いdown_convert信号の下位３ｂｉｔによって画像信号の値を変更する。終了ステップへ進む。
【００７２】
Ｓ６０５において、画像重畳部４０４は、入力された画像信号の位置にゼブラが重畳されるかを判断する。具体的には、補助画像信号の値がＣｂＣｒ＝９６０であるかを判断する。補助画像信号の値がＣｂＣｒ＝９６０である場合はＳ６０６へ進み、それ以外の時は終了ステップへ進む。
Ｓ６０６において、画像重畳部４０４は、図１１（ｃ）中のＴａｂｌｅ３に従いdown_convert信号の下位３ｂｉｔによって画像信号の値を変更する。終了ステップへ進む。
【００７３】
上記処理フローを行うことで画像重畳部４０４から出力される画像信号にはピーキング
、ゼブラ、マーカー情報が重畳される。実施例２では、マーカーの表示を黒色、ピーキングの表示を白色，ゼブラの表示を紫色となるように画像信号を変更しているが、３つの重畳情報が判断できるならこの表示でなくても良い。
【００７４】
図５の全体ブロックの構成に戻る。画像重畳部４０４は、撮影補助情報が重畳された画像信号を表示部２０６へ出力する。
以降の構成と処理は実施例１と同様なので説明を省略する。
実施例２によれば、多様な３Ｇ−ＳＤＩフォーマットに対応しつつも、３Ｇ−ＳＤＩドライバ部１０５から出力される信号を分配して外部記録装置に出力すれば、外部記録装置に記録される画像には撮影補助情報が重畳されない。これにより、撮影中に表示装置で撮影補助情報が重畳された画像を見ることができる。
【００７５】
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（Central Processing Unit）、ＭＰＵ（Micro Processing Unit）、その他の回路により構成される。さらに別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（Random-Access Memory）、ＲＯＭ（Read Only Memory）、分散コンピューティングシステムの記憶装置を含んでも良い。記憶媒体はまた、光学ディスク（例えばＣＤ（Compact Disc）、ＤＶＤ（Digital Versatile Disc）、ＢＤ（Blu-ray（登録商
標）Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００７６】
１００：撮影装置、１０３：撮影補助情報生成部、１０４：ＨＤ−ＳＤＩドライバ部、１０５：３Ｇ−ＳＤＩドライバ部、２００：表示装置、２０１：ＨＤ−ＳＤＩレシーバ部、２０２：３Ｇ−ＳＤＩレシーバ部、２０３：アップコンバート部、２０５：画像重畳部、２０６：表示部
【図１】
2016019229.tif 000003
【図２】
2016019229.tif 000004
【図３】
2016019229.tif 000005
【図４】
2016019229.tif 000006
【図５】
2016019229.tif 000007
【図６】
2016019229.tif 000008
【図７】
2016019229.tif 000009
【図８】
2016019229.tif 000010
【図９】
2016019229.tif 000011
【図１０】
2016019229.tif 000012
【図１１（ａ）】
2016019229.tif 000013
【図１１（ｂ）】
2016019229.tif 000014
【図１１（ｃ）】
2016019229.tif 000015